(57)【要約】【課題】  間仕切壁を取り外すことなく既存の間仕切壁の耐火性能を向上させると共に、その施工作業が容易な間仕切壁構造を提供することにある。【解決手段】  間柱２０とこれに取付けられる下張材３１及び上張材３２からなり耐火性能を有する一対の間仕切壁３０，３０とを備えた耐火間仕切構造１０において、間仕切壁３０の表面（上張材３２の表面）に耐火性被覆層として耐火性シート材４０を張り付けたことを特徴とする。【選択図】  図２
2009243176.tif 000002
【特許請求の範囲】
【請求項１】
耐火性能を有する一対の間仕切壁を備えた耐火間仕切構造において、一方又は両方の間仕切壁の表面に耐火性被覆層を備えたことを特徴とする耐火間仕切構造。
【請求項２】
前記耐火性被覆層は、張り付けた耐火性シート材からなることを特徴とする請求項１記載の耐火間仕切構造。
【請求項３】
耐火性シート材が、熱膨張性を有するものであることを特徴とする請求項２記載の耐火間仕切構造。
【請求項４】
前記耐火性被覆層は、塗布された耐火塗料からなることを特徴とする請求項１記載の耐火間仕切構造。
【請求項５】
前記耐火性被覆層は、張り付けた蒸気非透過性を有する不燃性シート材からなることを特徴とする請求項１記載の耐火間仕切構造。
【請求項６】
耐火性能を有する一対の間仕切壁を間柱に取付けた耐火間仕切構造の施工方法において、一方又は両方の間仕切壁の表面に耐火性被覆層を形成した後、間柱に取り付けることを特徴とする耐火間仕切構造の施工方法。
【請求項７】
既設の耐火性能を有する一対の間仕切壁を間柱に取付けた耐火間仕切構造の耐火性能を向上させる施工方法において、一方又は両方の間仕切壁の表面に新たに耐火性被覆層を形成することを特徴とする既設の耐火間仕切構造の改修方法。
【発明の詳細な説明】
【技術分野】
【０００１】
本願発明は、一対の間仕切壁で構成される耐火間仕切構造にかかり、間仕切壁の表面に耐火層を有する間仕切構造とその施工方法に関するものである。
【背景技術】
【０００２】
近時、乾式構造の耐火間仕切壁には、各種の改良・開発が行われている。従来広く採用されている構造は、図５に示すように鋼製間柱１を使用して、その両側面２，３に直接けい酸カルシウム板、石膏板などでの下張り板４と上張り板５とで構成される表面板６を取付けている（特許文献１参照）。
【０００３】
【特許文献１】特許第２９３２３５２号公報
【発明の開示】
【発明が解決しようとする課題】
【０００４】
しかし、このような構造の場合、間仕切壁の一方側から加熱されたとき、鋼製間柱１を通って他方側に熱が伝わりやすく、耐火性能に問題がある。特に、下張り板４或いは上張り板５のいずれか一方の継目が、鋼製間柱１上に位置してしまうような場合にはより熱が伝わりやすい。
【０００５】
この耐火性能を向上させるには、間仕切壁（表面板６）の厚さの厚いものを使用すればよい。しかし、この方法では壁が厚くなるため、室内を有効に使用することができず、好ましくない場合がある。また、既設の間仕切りを改修する方法としては、既存の間仕切壁の表面に新たに耐火ボード等を増張する方法が挙げられる（本願出願人による特願２００８−３２２３６号）。しかし、間仕切壁（表面板６）を取り外し、厚いものに交換することが、当該間仕切壁又は周囲（間取り等）の状況・環境、或いは、工事費用、工事期間等の観点から選択できない場合がある。
【０００６】
そこで、本願発明は、上記従来技術の有する問題点を解決するためになされたもので、壁厚が薄く、耐火性能の高い間仕切壁の構造とその施工方法、及び既設の間仕切壁を取り外すことなく既存の間仕切壁の耐火性能を向上させると共に、その施工作業が容易な間仕切壁構造の施工方法を提供することを目的としている。
【課題を解決するための手段】
【０００７】
上記目的を達成するために、第１の発明は、耐火性能を有する一対の間仕切壁を備えた耐火間仕切構造において、一方又は両方の間仕切壁の表面に耐火性被覆層を備えたことを特徴とするものである。
第２の発明は、前記耐火性被覆層が、張り付けた耐火性シート材からなることを特徴とする同耐火間仕切構造である。ここで、耐火性シート材とは、火災となって熱に暴露した時吸熱する物質からなるシート材、断熱性を有するシート材、あるいは熱に暴露することによって断熱性が発現する物質を有するシート材などを指す。
第３の発明は、耐火性シート材が、熱膨張性を有するものであることを特徴とする同耐火間仕切構造である。
第４の発明は、前記耐火性被覆層が、塗布された耐火塗料からなることを特徴とする同耐火間仕切構造である。ここで、耐火塗料とは、火災となって熱に暴露した時吸熱する物質からなる塗料や、断熱材を含有する塗料、あるいは熱に暴露することによって断熱性が発現する物質を含有する塗料などを指す。
第５の発明は、前記耐火性被覆層が、張り付けた蒸気非透過性を有する不燃性シート材からなることを特徴とする同耐火間仕切構造である。ここで、蒸気非透過性を有する不燃シート材とは、不燃シート材であってシートの耐熱温度までは実質的に蒸気を透過しないものを指す。
第６の発明は、耐火性能を有する一対の間仕切壁を間柱に取付けた耐火間仕切構造の施工方法において、一方又は両方の間仕切壁の表面に耐火性被覆層を形成した後、間柱に取り付けることを特徴とするものである。
第７の発明は、既設の耐火性能を有する一対の間仕切壁を間柱に取付けた耐火間仕切構造の耐火性能を向上させる施工方法において、一方又は両方の間仕切壁の表面に新たに耐火性被覆層を形成することを特徴とするものである。
【発明の効果】
【０００８】
本願発明によれば、以下のような効果を有する。
（１）耐火間仕切構造を構成する一方又は両方の間仕切壁の表面に耐火シート、耐火塗料、蒸気非透過性を有する不燃性シート材からなる耐火性被覆層を備えたことで、厚みをとらずに耐火性能の高い間仕切壁を得ることができる。
（２）耐火性被覆層が張り付けた耐火性シート材からなることで、あらかじめ施工前の間仕切壁に張りつけておけば、現場での施工が簡略化され、施工現場で張り付ける場合でも、簡単に施工することができる。
（３）耐火性被覆層が塗布された耐火塗料からなることで、あらかじめ施工前の間仕切壁に耐火塗料を塗布しておけば、現場での施工が簡略化され、施工現場で塗布する場合でも簡単に施工することができる。
（４）耐火性被覆層が張り付けた蒸気非透過性を有する不燃性シート材からなることで、間仕切壁に厚みをとらずに、間仕切壁の耐火性能を向上させることができる。詳しくは、間仕切壁として石膏板が使用されている場合、石膏板は加熱されて結晶水が脱離する際に吸熱するため、間仕切壁間の温度を１００℃付近に保つことができる。石膏板の表面に蒸気非透過性を有する不燃性シート材を張り付けることで、この際の脱離する水分をできるだけ逃がさないようにし、結晶水がゆっくりと脱離していくようにすることで、間仕切りの温度上昇を防ぐことができる。
（５）既設の間仕切壁に耐火性被覆層を形成することで、簡単に間仕切壁の耐火性能を向上させることができる。
【発明を実施するための最良の形態】
【０００９】
本願発明の実施形態の例を図面に基づいて説明する。
図１は、本願発明に係る実施形態前の耐火間仕切構造を示す透視図である。なお、図１には上張材と下張材とからなる間仕切り構造を示しているが、板材が１枚である間仕切り構造も同様である。また、板材としては石膏ボードやケイ酸カルシウム板等が使用できるが、この組み合わせは適宜選択される。
図１に示す耐火間仕切構造１０は、水平方向に設けられた略コ字形をした上部ランナー１１及び下部ランナー１２をつなぐように垂直方向等間隔に取り付けられた間柱（スタッド）２０，２０，…と、その間柱２０に向かい合うようにして取り付けられる一対の間仕切壁３０とを備えている。
【００１０】
間仕切壁３０は、下張材３１と上張材３２からなる。この下張材３１が、ビス・タッカー等の打込型留具３７を間柱２０に打ち込むとともに、上張材３２が、工業用ステープルや接着剤（図示省略）を用いて下張材３１に接着することで、間仕切壁３０は間柱２０に取付固定されている。
【００１１】
次に、図２は、本願発明に係る第１実施形態を示す説明図であり、耐火間仕切構造の水平断面図である。
図２（Ａ）は、下張材にケイ酸カルシウム板３１ａ、上張材に石膏板３２ａを使用した間仕切壁３０ａである。
図２（Ｂ）は、下張材に石膏板３１ｂ、上張材にケイ酸カルシウム板３２ｂを使用した間仕切壁３０ｂである。
図２（Ｃ）は、下張材と上張材にともにケイ酸カルシウム板３１ｃ、ケイ酸カルシウム板３２ｃを使用した間仕切壁３０ｃである。なお、上張材よりも下張材の方が若干厚くなっている。
【００１２】
そして、第１実施形態では、間仕切壁３０の表面（上張材３２の表面）に耐火性被覆層として耐火性シート材４０を張り付けたことを特徴とするものである。この耐火性シート材４０は、シート状の耐火材であるから、平常時には厚みがごく僅かで（例：２ｍｍ厚）、間仕切壁３０に多少の厚み増加を与えるに過ぎない。また、火災等による間仕切壁３０への加熱に対して耐火性シート材４０が熱膨張することで、間仕切壁３０に新たな断熱層を形成することになるので、間仕切壁３０の耐火性能を向上させることができるのである。このような耐火性シート材としては、膨張黒鉛、マイカ、バーミキュライトなどの無機発泡体、パーライト、ゾノトライトなどの中空断熱体、水酸化アルミニウム、石膏、シリカゲル，ゼオライト，水酸化銅，硫酸マグネシウム水和物，硫酸アルミニウム水和物，リン酸マグネシウム水和物などの吸熱性物質を含有するシートが好ましく、膨張黒鉛とゴムからなる熱膨張層とシリカクロスとアルミ箔からなる支持層とを積層したこの熱膨張性耐火性シート材であればより好ましい。この場合、熱膨張層を間仕切壁側に、支持層を表面側にし、間仕切壁に施工することが好ましい。また、熱膨張層の両面に支持層があればさらに好ましい。このように施工にすることで、加熱された際に熱膨張層が膨張し、ゴムの耐熱性以上に加熱された際も、支持層が熱膨張性耐火性シート材４０の脱落を防ぐことができる。なお、耐火性シート材４０は、両方の間仕切壁３０，３０の表面部に張り付けたが、場合によっては、片方の間仕切壁３０の表面部のみに張り付けることでもよい。
【００１３】
次に、第１実施形態の施工方法を説明する。図２で示した耐火性シート材４０の張付作業工程は、以下の通りである。
（１）間仕切壁３０表面部に耐火性シート材４０を仮留めする。
（２）仮留めした耐火性シート材４０をビス留めする。
【００１４】
図３は、本願発明に係る第２実施形態を示す説明図であり、耐火間仕切構造の水平断面図である。
図３（Ａ）〜図３（Ｃ）で使用する下張材３１と上張材３２の材料は、第１実施形態の場合と同一であるので、その説明を省略する。
【００１５】
そして、第２実施形態では、間仕切壁３０の表面（上張材３２の表面）に耐火性被覆層として耐火塗料５０を塗布したことを特徴とするものである。この耐火塗料５０は、平常時には厚みが塗装前とほとんど変わらず（約２ｍｍ）、間仕切壁３０に厚みを与えることにはならない。また、火災等による間仕切壁３０への加熱に対して耐火塗料５０が耐火性を有することで、間仕切壁３０の耐火性能を向上させることができるのである。なお、耐火塗料５０は、両方の間仕切壁３０，３０の表面部に塗布したが、場合によっては、片方の間仕切壁３０の表面部のみに塗布してもよい。また、耐火塗料５０としてポリリン酸アンモニウムを主成分とする塗料を使用すると、火災等による間仕切壁３０への加熱に対して耐火塗料が発泡するので、第１実施形態の熱膨張性耐火性シート材４０と同様に間仕切壁３０に新たな断熱層を形成することになるので、より間仕切壁３０の耐火性能を向上させることができる。
【００１６】
次に、第２実施形態の施工方法を説明する。図３で示した耐火塗料５０の塗布作業工程は、以下の通りである。
（１） 間仕切壁３０の表面を表面処理する（ゴミやほこりを取り除く）。
（２） 必要な場合にはプライマーを塗布する。
（３）表面処理された間仕切壁３０の表面部に耐火塗料を、厚さ１〜５mmになるよう塗布する。
【００１７】
図４は、本願発明に係る第３実施形態を示す説明図であり、耐火間仕切構造の水平断面図である。
図４（Ａ）〜図４（Ｃ）で使用する下張材３１と上張材３２の材料は、第１実施形態の場合と同一であるので、その説明を省略する。
【００１８】
そして、第３実施形態では、間仕切壁３０の表面（上張材３２の表面）に耐火性向上層として蒸気非透過性を有する不燃性シート材６０を張り付けたことを特徴とするものである。この不燃性シート材６０は、シート状の不燃材であるから、平常時には厚みがごく僅かで（例：２ｍｍ厚）、間仕切壁３０に多少の厚み増加を与えるに過ぎない。また、蒸気非透過性を有することから、火災等の加熱によって間仕切壁３０からの蒸気発生を防止でき、間仕切壁の耐火性能を向上させる。このような蒸気非透過性を有する不燃性シート材６０はシリカ繊維、ガラス繊維、セラミック繊維、ロックウール繊維、炭素繊維等の織布または不織布にフッ素樹脂、塩ビ樹脂等を含浸又は塗布したシートが挙げられる。特に、図４（Ａ）のように、間仕切壁３０ａの上張材３２ａが石膏板である場合、石膏板の表面に蒸気非透過性を有する不燃性シート材６０を張り付けることで、加熱によって石膏板から脱離する水分をできるだけ逃がさないようにし、結晶水がゆっくりと脱離していくようにすることで、間仕切りの温度上昇を防ぐことができる。
【００１９】
次に、第３実施形態の施工方法を説明する。図４で示した蒸気非透過性を有する不燃性シート材６０の張付作業工程は、以下の通りである。
（１）間仕切壁３０表面部に不燃性シート材６０を仮留めする。
（２）仮留めした不燃性シート材６０をビス補強する。
【産業上の利用可能性】
【００２０】
本願発明の耐火間仕切構造およびその施工方法は、既存の間仕切壁に幅広く利用できるとともに、新設の間仕切壁にも利用できるものである。
【図面の簡単な説明】
【００２１】
【図１】本願発明に係る実施形態前の耐火間仕切構造を示す透視図。
【図２】本願発明に係る第１実施形態を示す説明図（耐火間仕切構造の水平断面図）。
【図３】本願発明に係る第２実施形態を示す説明図（耐火間仕切構造の水平断面図）。
【図４】本願発明に係る第３実施形態を示す説明図（耐火間仕切構造の水平断面図）。
【図５】従来技術を説明する説明図。
【符号の説明】
【００２２】
１０  耐火間仕切構造
１１  上部ランナー
１２  下部ランナー
１３  中空部
２０  間柱（スタッド）
３０  間仕切壁
３１  下張材
３２  上張材
３７  打込型留具
４０  熱膨張性耐火性シート材
５０  耐火塗料
６０  不燃性シート材
【図１】
2009243176.tif 000003
【図２】
2009243176.tif 000004
【図３】
2009243176.tif 000005
【図４】
2009243176.tif 000006
【図５】
2009243176.tif 000007